(57)【要約】【課題】  インスタントメッセンジャーを使用して遠隔地のデータベースやＷｅｂページまたは情報機器などの情報を更新または参照できるようにする。【解決手段】  情報の更新や照会の要求を受け付けるソフトウェアプログラム又はハードウェアをインスタントメッセンジャーシステムに参加させる。利用者はこのソフトウェアプログラム又はハードウェアに対してインスタントメッセージを送信して情報の更新や照会の要求を行う。要求を受け取ったソフトウェアプログラム又はハードウェアは要求に応じて更新処理もしくは照会処理をおこない、必要に応じてその結果を利用者に対しインスタントメッセージで通知をおこなう。【選択図】          図１
2006164206.tif 000002
【特許請求の範囲】
【請求項１】
インスタントメッセンジャー機能を有するシステムが人間同士の交信手段としてではなく、遠隔地のデータベースやＷｅｂページまたは情報機器などの情報の更新および照会処理を実施することを特徴とする方法。
【請求項２】
インスタントメッセンジャー機能を有するシステムにおいて、遠隔地のデータベースやＷｅｂページまたは情報機器などの情報を更新および照会する処理を実行するソフトウェアプログラムまたはハードウェアが、インスタントメッセンジャーシステムに参加して要求を受け付けて処理を実行することを特徴とする方法。
【請求項３】
インスタントメッセンジャー機能を有するシステムにおいて、遠隔地のデータベースやＷｅｂページまたは情報機器などの情報を更新および照会する処理を実行するソフトウェアプログラムが、インスタントメッセンジャーのサーバプログラム内またはクライアントプログラム内で要求を受け付け処理を実行することを特徴とする方法。
【発明の詳細な説明】
【技術分野】
【０００１】  本発明はインスタントメッセンジャーにより遠隔地のデータベースやＷｅｂページまたは情報機器などの情報を更新および照会するための情報システム、インスタントメッセンジャーのクライアントソフトウェア、インスタントメッセンジャーサービスおよびサーバシステムに関する。
【技術背景】
【０００２】  従来のインスタントメッセンジャーシステムは、人間同士が文字や音声などによって交信を行うためのシステムです（例えば、非特許文献１参照。）。一部では人間ではなくソフトウェアプログラムが文字や音声による自動応答をおこなうシステムも存在しています。
【非特許文献１】  「Ｙａｈｏｏ！メッセンジャー、ヤフー株式会社提供、ｈｔｔｐ：／／ｍｅｓｓｅｎｇｅｒ．ｙａｈｏｏ．ｃｏ．ｊｐ／」
【発明の開示】
【発明が解決しようとする課題】
【０００３】  インスタントメッセンジャーは人間同士が文字などを用いて交信をおこなう目的で利用されています。本発明によってインスタントメッセンジャーを用いて遠隔地のデータベースやＷｅｂページもしくは情報機器などの情報を更新したり、遠隔地のデータベースやＷｅｂページもしくは情報機器などの情報を照会することが可能になります。
【課題を解決するための手段】
【０００４】  情報の更新や照会の要求を受け付けるソフトウェアプログラム又はハードウェアをインスタントメッセンジャーシステムに参加させます。システムの利用者はこのソフトウェアプログラム又はハードウェアに対してインスタントメッセージとして情報の更新または照会の要求を送信します。要求を受け取ったソフトウェアプログラム又はハードウェアは要求に応じた更新処理もしくは照会処理をおこない、必要に応じて利用者に対しインスタントメッセージとして通知をおこないます。
【発明の効果】
【０００５】  この発明によって従来人間同士の交信手段に限定されていたインスタントメッセンジャーの用途を拡張し、遠隔地のデータベースやＷｅｂページまたは情報機器などの情報を更新したり照会する事が可能になります。またこれらの更新および照会の手続きは従来のインスタントメッセンジャーと同様に文字などを送受信して行うため、利用者は従来のインスタントメッセンジャーと同様の操作で高度な情報更新および照会処理を実施することが可能になります。
【発明を実施するための最良の形態】
【０００６】  インスタントメッセンジャーによる情報更新および照会要求を受け付けるソフトウェアプログラムを起動して、インスタントメッセンジャ−システムに参加させ常駐させる。情報更新および照会の要求を受け付けるソフトウェアプログラムは、インスタントメッセンジャーシステムへの参加処理およびインスタントメッセージの送受信機能を有し、利用者からの要求に応じた情報更新または照会処理を行い、必要に応じてその結果をインスタントメッセージを使用して利用者に通知する。
情報更新および照会の要求を受け付けるソフトウェアプログラムは、インスタントメッセンジャーシステム内での固有の識別子を割り当てたうえで参加させる。利用者は目的に応じて、情報更新および照会の要求を受け付けるソフトウェアプログラムに割り当てられたインスタントメッセンジャーの識別子に対してメッセージを送信することによって情報更新または照会の要求を行う。
【実施例】
【０００７】  特定のデータベースの情報を更新または照会するソフトウェアプログラムを起動して、インスタントメッセンジャーシステムに参加させる。利用者は情報更新または照会ソフトウェアプログラムに割り付けられたインスタントメッセンジャーの識別子に対して所定の書式でインスタントメッセージを送信する事で、データベースの情報を更新したり照会する事ができる。より具体的な例としては、商品の在庫データベースを照会したり、受注データベースに注文を追加するといった例があげられる。
【実施例】
【０００８】  特定のＷｅｂページの情報を更新するソフトウェアプログラムを起動して、インスタントメッセンジャーシステムに参加させる。利用者はＷｅｂページ更新ソフトウェアプログラムに割り付けられたインスタントメッセンジャーの識別子に対して所定の書式でインスタントメッセージを送信する事で、特定のＷｅｂページの内容を更新する事ができる。
【実施例】
【０００９】  インスタントメッセンジャーシステムのサーバプログラムもしくはクライアントプログラムで、特定のメッセージを解釈して所定の情報更新処理や照会処理を実施する。利用者はインスタントメッセンジャーシステムが指定した識別子に対して所定の書式でインスタントメッセージを送信するか、もしくはインスタントメッセンジャーシステムが指定した方式でメッセージを送信する事で所定の情報の更新や照会を行う事ができる。
【産業上の利用可能性】
【００１０】  インスタントメッセンジャーによる遠隔地のデータベースやＷｅｂサイトまたは情報機器などの情報を更新もしくは参照できるため、例えば商品の在庫状況の照会をインスタントメッセンジャーで行えたり、Ｗｅｂページにニュース記事などの文章を追加する作業をインスタントメッセンジャーで行う事が可能になります。これらの作業は通常専用のソフトウェアや特定のＷｅｂページを使用して行われますが、インスタントメッセンジャーを利用してこれらの作業を実施できるので利便性が大幅に向上します。
【図面の簡単な説明】
【００１１】
【図１】本発明の一実施形態であるシステムの全体構成を示した図面である。
【図２】本発明の一実施形態であるシステムにおいて、大量の利用者へ応対する必要がある場合のシステム全体構造を示した図面である。
【図３】本発明にかかる一般的なインスタントメッセンジャーサービスの概要を示した図面である。
【図１】
2006164206.tif 000003
【図２】
2006164206.tif 000004
【図３】
2006164206.tif 000005